(57)【特許請求の範囲】
【請求項１】
Ｉ．Ｓ．機械用の押出し機構であって、
複数の指状突出部を支持するアームを含むプッシャ指状突出部組立体を備え、
前記アームが、形成された瓶を受けるためにそれぞれコーナー部を有する対応する数のポケットを前記指状突出部と共に画成する正面部と、背面部と、前記背面部に画成された対応する数のキャビティと、入口ポートおよび該入口ポートを前記キャビティのそれぞれに連結する導管を備える空気マニホルドと、前記ポケットの前記コーナー部で各キャビティから前記正面部に延びる通し穴と、を有し、
前記プッシャ指状突出部組立体は、更に、対応する数のオリフィス部材であって、それぞれが、キャビティに挿入するように構成されたベース部、および前記キャビティの前記穴に挿入するように構成されており前記アームの前記正面部を越えた位置において終端するポストを有するオリフィス部材を備え、前記ポストがその端部に空気吐出ポートを備え、前記空気吐出ポートは空気流を鉛直方向上方および下方に送るように構成されており、
前記ベース部が、空気を前記アームの前記空気マニホルドから前記空気吐出ポートに送るための空気導管を備え、
前記プッシャ指状突出部組立体は、更に、前記吐出ポートを選択された向きにして、前記キャビティ内に前記オリフィス部材の前記ベース部を取外し可能に固定する手段を有し、前記空気吐出ポートの位置が、一の長さのポストを有するオリフィス部材を取外し、それらを別の長さのポストを有するオリフィス部材に交換することによって調整可能である、
ことを特徴とする、押出し機構。
【請求項２】
前記キャビティが円筒形のポケットであることを特徴とする、請求項１に記載のＩ．Ｓ．機械用の押出し機構。
【請求項３】
前記オリフィス部材の前記ベース部が、前記円筒形のポケットの寸法および形状である、請求項２に記載のＩ．Ｓ．機械用の押出し機構。
【発明の詳細な説明】
【技術分野】
【０００１】
本発明は、ガラス瓶を生産するＩ．Ｓ．機械に関し、より詳細にはこれらの機械に使用される押出し機構に関する。
【背景技術】
【０００２】
Ｉ．Ｓ．（Ｉｎｄｉｖｉｄｕａｌ  ｓｅｃｔｉｏｎ）機械は、ガラスの個別のゴブから瓶を生産する、同様のいくつかの区画（ｓｅｃｔｉｏｎ）を有する。１つの区画にて形成された瓶は、デッドプレート上に置かれ、そこで瓶は短時間の間冷却され、次いで押出し機構によって９０度の円弧を描いて移動され、  コンベヤに乗せられる。米国特許第５５２７３７２号は押出し機構の一部分である、最新技術を用いたプッシャ（ｐｕｓｈｅｒ）を開示している。その他のプッシャは、米国特許第５９８８３５５号、および米国特許第６４９４０６３号に開示されている。これらの特許は、プッシャによる瓶の制御を向上させるために、所定の向きに向けられた空気噴出口（ａｉｒ  ｊｅｔ）を介して圧縮された空気を使用することを教示する。
【特許文献１】米国特許第５５２７３７２号
【特許文献２】米国特許第５９８８３５５号
【特許文献３】米国特許第６４９４０６３号
【発明の開示】
【発明が解決しようとする課題】
【０００３】
本発明の目的は、所望の位置調整を容易に行うことができるように迅速な変更（ｑｕｉｃｋ−ｃｈａｎｇｅ）が可能なオリフィス部材を有する押出し機構を提供することである。
【課題を解決するための手段】
【０００４】
上記目的を達成するため、本発明は、Ｉ．Ｓ．機械用の押出し機構であって、複数の指状突出部を支持するアームを含むプッシャ指状突出部組立体を備え、前記アームが、形成された瓶を受けるためにそれぞれコーナー部を有する対応する数のポケットを前記指状突出部と共に画成する正面部と、背面部と、前記背面部に画成された対応する数のキャビティと、入口ポートおよび該入口ポートを前記キャビティのそれぞれに連結する導管を備える空気マニホルドと、前記ポケットの前記コーナー部で各キャビティから前記正面部に延びる通し穴と、を有し、前記プッシャ指状突出部組立体は、更に、対応する数のオリフィス部材であって、それぞれが、キャビティに挿入するように構成されたベース部、および前記キャビティの前記穴に挿入するように構成されており前記アームの前記正面部を越えた位置において終端するポストを有するオリフィス部材を備え、前記ポストがその端部に空気吐出ポートを備え、前記空気吐出ポートは空気流を鉛直方向上方および下方に送るように構成されており、前記ベース部が、空気を前記アームの前記空気マニホルドから前記空気吐出ポートに送るための空気導管を備え、前記プッシャ指状突出部組立体は、更に、前記吐出ポートを選択された向きにして、前記キャビティ内に前記オリフィス部材の前記ベース部を取外し可能に固定する手段を有し、前記空気吐出ポートの位置が、一の長さのポストを有するオリフィス部材を取外し、それらを別の長さのポストを有するオリフィス部材に交換することによって調整可能であることを特徴とする、押出し機構を提供する。
【０００５】
本発明のその他の目的および利点は、本明細書の以下の部分および添付の図面から明らかになり、その図面には本発明の原理を援用する現在好ましい実施形態が示される。
【発明を実施するための最良の形態】
【０００６】
押出し機構は、アーム１１と、形成された瓶がその中に置かれるポケット（３ヶ所）を画成するようにアームに連結され垂直な関係にされた複数の指状突出部１２とを有する指状突出部組立体１０を備えている。指状突出部組立体１０は３つのポケットを備えて図示されているが、ポケットの数は、生産される瓶の寸法に依存し、小さな瓶が４つのゴブから生産されるとき、指状突出部組立体は４つのポケットを有することができる。これらの指状突出部１２は、図示のようにアーム１１と一体とすることができ、またはアーム１１に取外し可能に連結することができる。また、指状突出部１２は、瓶を係合するためのグラファイトパッド１３を有することができる。ポケット内に置かれた瓶は、ノズル１４からの圧縮された空気の噴出によって、ポケットのコーナー部へ引かれる。アーム１１は、細長いスロット１９内に配置される適切なネジ１８を介して押出しブラケット１６に連結され、ブラケットは、指状突出部組立体１０を所定の経路を通って回転させる押出し移動機構（図示せず）に固定される。
【０００７】
図２は、組立て前のアーム１１の背面部を示す。押出しブラケット１６の、供給ライン（図示せず）から空気を受け取る空気入口２０は、アーム１１内の交差導管（ｃｒｏｓｓｃｏｎｄｕｉｔ）２２と連通する。オリフィス部材２４（図３）は、円筒形ヘッド部２６および突出するポスト２８を有する。オリフィス部材２４の円筒形ヘッド部２６は、合致する寸法および形状を有する円筒形キャビティ３２に嵌合し、アーム１１のネジ付きの穴３６に入る取付ネジ３４によって定位置に取外し可能に取り付けられる。ネジは、オリフィス部材２４を、向きを定めて配置する。ポスト２８は、穴３８を貫通して延びる。オリフィス部材２４内の交差穴４０は、空気をポストの軸方向穴４２に供給するためにアームの交差ボア２２と連通し、軸方向穴４２は、空気を出口穴または噴出口（ｊｅｔ）４４に供給する。例示の実施形態では、穴は上方にも下方にも排気する。ポスト部分がアーム１１の正面部から突出する距離は、距離５０によって表される。図示のように、このオリフィスは、空気噴出口の配置が容易に調整可能なように、簡単に取り除き、より長いまたはより短いポストを有するオリフィス部材と容易に交換することができる。図示のように、ポスト２８の先端部は、噴出口を置かれたボトルの近くに望むとおり配置できるように、面取りされる。
【図面の簡単な説明】
【０００８】
【図１】Ｉ．Ｓ．機械用の押出し機構の指状突出部組立体部分の正面斜視図である。
【図２】図１に示された指状突出部組立体部分のアームの背面図である。
【図３】図２に示されたアームに固定されたオリフィス部材のうちの１つの横断面図である。
【符号の説明】
【０００９】
１０  指状突出部組立体
１１  アーム
１２  指状突出部
１３  グラファイトパッド
１４  ノズル
１６  ブラケット
１８  ネジ
１９  スロット
２０  空気入口
２２  交差導管
２４  オリフィス部材
２６  円筒形ヘッド部
２８  ポスト
３２  円筒形キャビティ
３４  取付ネジ
３６  ネジ山付きの穴
３８  穴
４０  交差穴
４２  軸方向穴
４４  噴出口
５０  距離
【図１】
0004731447.tif 000002
【図２】
0004731447.tif 000003
【図３】
0004731447.tif 000004